(57)【特許請求の範囲】
【請求項１】
輪転機の折部にあって、少なくとも１枚の紙の先行側を保持して回転する折胴と平行かつ外周面を近接対向させて配された咥え胴に、第１咥え部材が第２咥え部材に対して接近移動して両咥え部材間に前記少なくとも１枚の紙の中間部を咥え得るよう設けられた咥え装置の、紙を咥えるときの両咥え部材の間隔を自動調整する咥え装置の咥え間隔自動調整装置において、
紙を咥えるときの両咥え部材の間隔である咥え間隔を変更可能な間隔調整機構と、間隔調整機構を駆動操作すべくこの機構に連結された駆動手段と、
輪転機の稼動速度を検出可能な速度検出手段と、
前記間隔調整機構によって調整される咥え間隔の大きさを検出可能かつ保持可能な間隔検出手段と、
紙の厚さに関するデータと紙の重なり枚数に関するデータを入力する入力手段と、
前記速度検出手段、間隔検出手段、入力手段及び駆動手段に連結され、かつ、予め基準として定められた厚さの紙を使用した印刷稼動のときの稼動速度と紙の重なり枚数が複合する条件における咥え間隔値を記憶する記憶部を有し、この記憶部に記憶させられた咥え間隔値から、入力手段にて入力された紙の重なり枚数に関するデータと速度検出手段の出力信号が示す検出速度に基づいてこれらが複合する条件における咥え間隔値を取り出すとともに、この取り出した咥え間隔値と入力手段によって入力された紙の厚さに関するデータに基づいて当該時点においてあるべき咥え間隔値を求め、これを間隔検出手段の出力信号が示す咥え間隔値と比較し、その結果に基づいて駆動手段を動作させる間隔調整制御手段と、
からなり、
紙の厚さ、紙の重なり枚数及び輪転機の稼動速度に対応して前記咥え間隔を自動調整することを特徴とする咥え装置の咥え間隔自動調整装置。
【請求項２】
間隔検出手段が、駆動手段の駆動操作量に基づいて咥え間隔の大きさを検出可能に設けられた、請求項１に記載の咥え装置の咥え間隔自動調整装置。
【発明の詳細な説明】
【０００１】
【発明の属する技術分野】
この発明は、輪転機の折機の咥え装置の咥え間隔自動調整装置に関し、詳細には、輪転機の稼動速度に対応して咥え装置の咥え間隔を自動調整することが可能な、輪転機に用いられる咥え装置の咥え間隔自動調整装置に関する。
【０００２】
【従来の技術】
輪転機の折機の咥え装置では、例えば新聞印刷などにおいて、ページ数の多寡や使用する紙の厚さによって咥える紙の厚さが変化するので、この変化に対応させて咥え装置の咥え部材の間隔を調整し、咥え動作が無理なく行え、咥え動作によって紙が損傷せず、かつ咥えた後に抜け落ちなどがないように適切な咥え力で咥えるようにすることが公知であり、この咥え装置の咥え部材の間隔を自動調整する装置は、例えば、特公平７−５５７６１号公報に示されるものがある。
【０００３】
この公報に示されるものは、折機に案内される紙の厚さを測定装置で測定し、測定結果に基づいて、咥え部材の間隔調整機構を動作させ、咥える紙の厚さに対応させて咥え部材の間隔を自動調整するようにしたものである。
【０００４】
【発明が解決しようとする課題】
ところで、近年輪転機の稼動速度の高速化が進められた結果、低速稼動時に適切であるように咥え装置の咥え部材の間隔を調整した状態で高速運転に移行すると、咥える紙の質量が大きい場合、つまり、例えば新聞印刷のように同等の紙を複数枚使用する印刷ではページ数が多い場合、高速運転中に紙が抜け落ちる不都合が発生するようになった。
【０００５】
すなわち、図８に示すように、折胴Ｆ２の回転に従って移動する紙（被切断紙）ＰＣの咥えられた位置より先行側ＰＣ１には折胴Ｆ２の回転方向（矢印Ａ）に従って回転することによって、同方向に向う慣性力が作用しており、紙ＰＣの中間部を咥え装置Ｊで咥え、矢印Ｂ方向への咥え胴Ｆ３の回転にしたがって咥え胴Ｆ３側に引き取るときには、紙ＰＣの咥えられた位置より先行側ＰＣ１を前記慣性力に逆らって引き寄せるため、閉状態で紙ＰＣを弾性力によって咥える咥え装置Ｊに、この慣性力による、弾性力に抗する力（以下、抗弾性力とする）が作用し、閉じている咥え装置Ｊを開けようとする。そして、前記慣性力は、咥えられる紙ＰＣの質量が大きい程、つまり同等の紙ＰＣであるときは枚数が多くなるほど大きくなり、この大きくなった慣性力による抗弾性力も比例して大きくなり、ついには、咥えていた紙ＰＣが抜け落ち得る程度まで咥え部材の間隔を開ける不都合を生じるようになった。
【０００６】
また、このような紙ＰＣの抜け落ちが生じないように、咥え装置Ｊの咥え部材の咥え隙間を小さく設定し、紙ＰＣを咥える際に強い弾性力が作用するようにすると、輪転機が低速稼動する際に、咥えられている部分で、接触する印刷面同士の印刷画像が弾性力の作用位置で互いに転写して、接触する印刷面を汚してしまうという不都合が生じた。
【０００７】
この発明は、上記のことに鑑みなされたもので、輪転機の咥え装置において、輪転機の稼動速度が如何ように変化しても、それに応じて咥え力が調整されて、低速時における咥えられた部位で、接触する印刷面同士で印刷画像の相互転写が発生せず、また、高速時における咥え力不足による咥え紙の抜け落ちが生じないようにした咥え装置の咥え間隔自動調整装置を提供することを目的としたものである。
【０００８】
【課題を解決するための手段】
この発明は、特許請求の範囲に記載された構成によって前記目的を達成しようとするもので、これの請求項１に記載の発明は、輪転機の折部にあって、少なくとも１枚の紙の先行側を保持して回転する折胴と平行かつ外周面を近接対向させて配された咥え胴に、第１咥え部材が第２咥え部材に対して接近移動して両咥え部材間に前記少なくとも１枚の紙の中間部を咥え得るよう設けられた咥え装置の、紙を咥えるときの両咥え部材の間隔を自動調整する咥え装置の咥え間隔自動調整装置において、紙を咥えるときの両咥え部材の間隔である咥え間隔を変更可能な間隔調整機構と、間隔調整機構を駆動操作すべくこの機構に連結された駆動手段と、輪転機の稼動速度を検出可能な速度検出手段と、前記間隔調整機構によって調整される咥え間隔の大きさを検出可能かつ保持可能な間隔検出手段と、紙の厚さに関するデータと紙の重なり枚数に関するデータを入力する入力手段と、前記速度検出手段、間隔検出手段、入力手段及び駆動手段に連結され、かつ、予め基準として定められた厚さの紙を使用した印刷稼動のときの稼動速度と紙の重なり枚数が複合する条件における咥え間隔値を記憶する記憶部を有し、この記憶部に記憶させられた咥え間隔値から、入力手段にて入力された紙の重なり枚数に関するデータと速度検出手段の出力信号が示す検出速度に基づいてこれらが複合する条件における咥え間隔値を取り出すとともに、この取り出した咥え間隔値と入力手段によって入力された紙の厚さに関するデータに基づいて当該時点においてあるべき咥え間隔値を求め、これを間隔検出手段の出力信号が示す咥え間隔値と比較し、その結果に基づいて駆動手段を動作させる間隔調整制御手段と、からなり、紙の厚さ、紙の重なり枚数及び輪転機の稼動速度に対応して前記咥え間隔を自動調整する構成になっている。
【０００９】
また、請求項２に記載の発明は、前記請求項１に記載の発明において、間隔検出手段が、駆動手段の駆動操作量に基づいて咥え間隔の大きさを検出可能に設けられた構成になっている。
【００１０】
【作  用】
上記構成によれば、予め定められた紙を予め定められた数だけ使用する輪転機では、電源の入力で速度検出手段、間隔検出手段及び間隔調整制御手段が立上がり、ついで、輪転機が始動されると、速度検出手段が検出した速度に応じた信号を出力し、また、間隔検出手段が当該時点の咥え部材の間隔の大ききに応じた信号を出力する。
【００１１】
速度検出手段の出力信号及び間隔検出手段の出力信号は、例えば、予め定めた時間間隔で間隔調整制御手段に取り込まれる。間隔調整制御手段は、取り込んだ速度検出手段の出力信号に基づいて、輪転機の当該時点の稼動速度における咥え間隔のあるべき大きさを決めるとともに、この決めた間隔の大きさを、取り込んだ間隔検出手段の出力信号が示す咥え部材の当該時点の間隔の大きさと比較する。
【００１２】
そして、咥え間隔のあるべき大きさと当該時点の間隔の大きさとに相違があるときは、この相違を解消するように間隔調整機構を動作させる調整信号を出力し、更に駆動信号に変換して駆動手段を動作させる。
【００１３】
また、使用する紙が一定してないときは、電源入力で速度検出手段、間隔検出手段及び間隔調整制御手段が立上がった後、入力手段によって、当該稼動において咥え装置が咥える紙の量に対応するデータ、例えば、紙の厚さと枚数などを間隔調整制御手段に入力する。間隔調整制御手段は入力されたデータを記憶する。ついで、輪転機が始動されると、速度検出手段が検出した速度に応じた信号を出力し、また、間隔検出手段が当該時点の咥え部材の間隔の大きさに応じた信号を出力する。
【００１４】
速度検出手段の出力信号及び間隔検出手段の出力信号は、例えば、予め定めた時間間隔で間隔調整制御手段に取り込まれる。間隔調整制御手段は、取り込んだ速度検出手段の出力信号と前記入力され記憶したデータとに基づいて、輪転機の当該時点の稼動速度における咥え間隔のあるべき大きさを決めるとともに、この決めた間隔の大きさを、取り込んだ間隔検出手段の出力信号が示す咥え部材の当該時間の間隔の大きさと比較する。
【００１５】
そして、咥え部材のあるべき間隔の大きさと当該時点の間隔の大きさとに相違があるときは、この相違を解消するように間隔調整機構を動作させる調整信号を出力し、更に駆動信号に変換して駆動手段を動作させる。
【００１６】
【発明の実施の形態】
次に、この発明の実施の形態を、図面を参照して説明する。
図１は、この発明に係る咥え間隔自動調整装置の全体構成の概略を示したブロック図、図２は、この発明に係る咥え間隔自動調整装置が実施可能な輪転機の咥え装置を示す断面展開図で、図３、図４におけるＴ−Ｔ矢視断面と図３におけるＵ−Ｕ矢視断面を併せて示した断面展開図、図３は、図２におけるＶ矢視図、図４は、図２におけるＷ−Ｗ矢視断面図、図５は、図２におけるＸ−Ｘ矢視断面図、図６は、図２におけるＹ−Ｙ矢視断面図、図７は、可動咥え部材と固定咥え部材との位置関係を示す、図２におけるＺ−Ｚ矢視断面拡大図、図８は、この発明に係る咥え間隔自動調整装置が実施される輪転機の折機の概略構成を示す説明図である。
【００１７】
図８に示すように、輪転機の折部Ｆは、対向するフレームＦＦａ、ＦＦｂ（一方は図示せず）間に互いに中心線を平行にして、複数の回転胴、すなわち鋸胴Ｆ１、折胴Ｆ２、咥え胴Ｆ３が設けられ、更に、咥え胴Ｆ３から放出される折り畳まれた被切断紙ＰＣを受領羽根ＦＡで受領し、搬出コンベヤＦＣに放出する羽根車Ｆ４が設けられている。
【００１８】
輪転機の印刷部（図示せず）で画像が印刷された少なくとも１枚の連続紙Ｗは、そのまままたは適宜の手段によって重ね合せられ、更に、必要に応じて適宜の手段（例えば、フォーマー）によって折り重ね合わせられて、ニッピングローラーＦＮによって鋸胴Ｆ１と折胴Ｆ２との間に向けて送り込まれる。鋸胴Ｆ１と折胴Ｆ２との間に送り込まれた連続紙Ｗは、まず、折胴Ｆ２の軸方向にそって複数設けられた針Ｆ２１でその先行側の部位を保持されるとともに、両胴の外周面近接位置で、鋸胴Ｆ１の鋸刃Ｆ１１が折胴Ｆ２の鋸刃受けＦ２２へくい込むことによって前記針Ｆ２１による保持位置より若干先行する位置が切断されることが繰り返され、針Ｆ２１によって折胴Ｆ２の外周面に保持された被切断紙ＰＣとされ、折胴Ｆ２の回転に従って移動させられる。
【００１９】
そして、この被切断紙ＰＣの中間部が折胴Ｆ２と咥え胴Ｆ３の外周面近傍位置に至り、折胴Ｆ２の差し刃Ｆ２３と咥え胴Ｆ３の咥え装置Ｊとが前記折胴Ｆ２と咥え胴Ｆ３の外周面近接位置で相対すると、針Ｆ２１が折胴Ｆ２の外周面から折胴Ｆ２内に沈降して、被切断紙ＰＣを放すとともに、差し刃Ｆ２３が被切断紙ＰＣの中間部を咥え装置Ｊに向けて突き出すようになっている。
【００２０】
差し刃Ｆ２３にて突き出された被切断紙ＰＣの中間部は、咥え胴Ｆ３の外周面近傍に咥え胴Ｆ３の中心線と平行に設けられた溝Ｊ１１内に、溝Ｊ１１の開口部Ｊ１０から差し入れられ、図５で示す溝Ｊ１１内に設けられた第１の咥え部材である可動咥え部材Ｊ１２と第２の咥え部材である固定咥え部材Ｊ１３とによって咥えられる。可動咥え部材Ｊ１２と固定咥え部材Ｊ１３とによって咥えられた被切断紙ＰＣは、咥え胴Ｆ３の回転によって、中間部より先行側が折胴Ｆ２の回転する向きと逆に引き戻され、咥え胴Ｆ３の外周面上で、中間部より後行側の外側に重ね合わせられ、中間部で折り畳まれた状態で、咥え胴Ｆ３の回転に従って移動させられる。
【００２１】
咥え胴Ｆ３の回転に従って移動させられた被切断紙ＰＣは、その咥えられた中間部が羽根車Ｆ４の受領羽根ＦＡと相対する位置の近傍で解放され、受領羽根ＦＡ間の受領スペースで受領され、羽根車Ｆ４の回転によって搬出コンベヤＦＣ上に放出される。
【００２２】
以上記載の輪転機の折部Ｆにおける咥え装置１の咥え間隔自動調整装置１は、図１乃至図７に示すように構成される。
【００２３】
咥え間隔自動調整装置１は、図１にブロック図で示すように、前記咥え装置Ｊの可動咥え部材Ｊ１２が固定咥え部材Ｊ１３に最も接近させられて被切断紙ＰＣを咥えるときの両咥え部材の間隔である咥え間隔を変更調整するための間隔調整機構１０と、この間隔調整機構１０を駆動して動作させるべく間隔調整機構１０に連結されて設けられた駆動手段３０と、輪転機の稼動動作部に連係されて設けられ、輪転機の稼動速度を検出する速度検出手段５０と、前記間隔調整機構１０によって間隔を調整される前記咥え間隔の大きさを検出する間隔検出手段７０と、速度検出手段５０、間隔検出手段７０及び駆動手段３０に連結されて設けられ、速度検出手段５０が出力した当該時点における稼動速度に関する出力信号に対応するあるべき咥え間隔を求めるとともに、求めた咥え間隔と間隔検出手段７０が出力した咥え間隔に関する出力信号が示す当該時点における実際の咥え間隔とを比較し、実際の咥え間隔があるべき咥え間隔と相違したときに、実際の咥え間隔をあるべき咥え間隔と整合させるべく、駆動手段３０を介して間隔調整機構１０を動作させる間隔調整制御手段９０とで構成され、間隔調整制御手段９０には、必要に応じて入力手段１００が連結して設けられている。
【００２４】
間隔調整機構１０は、例えば図２乃至図７に詳細に示すように構成される。
すなわち、間隔調整機構１０は、咥え胴Ｆ３を構成するとともに前記咥え装置Ｊの固定咥え部材Ｊ１３が設けられる第１ベース部材１１と、咥え胴Ｆ３を構成するとともに前記咥え装置Ｊの可動咥え部材Ｊ１２が設けられる第２ベース部材１２と、咥え胴Ｆ３を構成するとともに第１ベース部材１１と第２ベース部材１２とを自らの回転中心線回りに角変位可能に支持する第３ベース部材１３と、後で説明する咥え間隔調整歯車機構２０と、第３ベース部材１３に回転可能に支持されるとともに咥え間隔調整歯車機構２０に連係され、かつ第１ベース部材１１を第３ベース部材１３の回転中心線回りに角変位させる第１偏心カム１６、１６を取り付けた第１カム軸１４と、第３ベース部材１３に回転可能に支持されるとともに咥え間隔調整歯車機構２０に連係され、かつ第２ベース部材１２を第３ベース部材１３の回転中心線回りに角変位させる第２偏心カム１７、１７を取り付けた第２カム軸１５とを備えている。
【００２５】
第１ベース部材１１は、咥え胴Ｆ３の軸方向両側に配された２つの第１プレート１１ａ、１１ｂ及びこれら第１プレート１１ａ、１１ｂを一体に連結する、咥え胴Ｆ３の軸線と平行かつ咥え胴Ｆ３の回転中心線回りの等分割位置で外周面の一部を形成する第１ステー１１ｃ、１１ｃ、１１ｃよりなり、２つの第１プレート１１ａ、１１ｂは、後に説明する第３ベース部材１３の軸方向両側に設けられた小径部１３ｅ、１３ｆに、第３ベース部材１３の回転中心線周りに角変位可能であるように設けられている。
【００２６】
また、前記第１ステー１１ｃの咥え胴Ｆ３の回転中心線と平行な一側には、咥え機構Ｊの固定咥え部材Ｊ１３が設けられている。更に、２つの第１プレート１１ａ、１１ｂには、複数（少なくとも２個）の切欠き１１ｄ、１１ｄ、１１ｄが、咥え胴Ｆ３の回転中心線周りの等分割位置に放射状に設けられ、各切欠き１１ｄは、キャップ１１ｅで外周面側が閉じられている。そして両第１プレート１１ａ、１１ｂで対向するそれぞれの１つの切欠き１１ｄ、１１ｄに、後に説明する第１スライド部材１８、１８が咥え胴Ｆ３の半径方向にのみ移動可能に取り付けられている。
【００２７】
第２ベース部材１２は、咥え胴Ｆ３の軸方向両側に配された２つの第２プレート１２ａ、１２ｂ及びこれら第２プレート１２ａ、１２ｂを一体に連結する、咥え胴Ｆ３の軸線と平行かつ咥え胴Ｆ３の回転中心線周りの等分割位置で外周面の一部を形成する第２ステー１２ｃ、１２ｃ、１２ｃよりなり、２つの第２プレート１２ａ、１２ｂは、後に説明する第３ベース部材１３の軸方向両側に設けられた小径部１３ｅ、１３ｆに、第３ベース部材１３の回転中心線周りに角変位可能であるように設けられている。
【００２８】
また、前記第２プレート１２ａ、１２ｂには、咥え機構Ｊの複数個の可動咥え部材Ｊ１２、Ｊ１２…が取り付けられた軸Ｊ１４の両側がそれぞれ角変位可能に支持されている。更に、２つの第２プレート１２ａ、１２ｂには、複数（少なくとも２個）の切欠き１２ｄ、１２ｄ、１２ｄが、咥え胴Ｆ３の回転中心線周りの等分割位置に放射状に設けられ、各切欠き１２ｄは、キャップ１２ｅで外周面側を閉じられている。そして両プレート１２ａ、１２ｂの対向するそれぞれの１つの切欠き１２ｄ、１２ｄに、後に説明する第２スライド部材１９、１９が咥え胴Ｆ３の半径方向にのみ移動可能に取り付けられている。
【００２９】
他方、前記軸Ｊ１４の一端は、一方の第２プレート１２ａを貫通した状態に設けられ、先端には、軸Ｊ１４の回転中心線に対して直角に伸びるアームＪ１５の一端が取り付けられている。アームＪ１５の他端には、軸Ｊ１４の回転中心線と平行なピンを介してカムフォロアーＪ１６が取り付けられ、カムフォロアーＪ１６は、一方のフレームＦＦａに固定されたスリーブＳａに固定されて設けられた溝カムＪ１７に連係されている。つまり、咥え胴Ｆ３が回転すると、カムフォロアーＪ１６が溝カムＪ１７に従って変位し、軸Ｊ１４を介して移動咥え部材Ｊ１２、Ｊ１２…を適宜のタイミングで一斉に咥え側へ角変位動作させるように設けられている。また、軸Ｊ１４は、自らに内装されたトーションバーＪ１８（図７参照）で常時咥え方向とは逆方向（図６において時計回り）に角変位するよう力が付与されており、カムフォロアーＪ１６が溝カムＪ１７の一方のガイド面に接触して動作する構成になっている。
【００３０】
可動咥え部材Ｊ１２と軸Ｊ１４との取り付け関係の構成は図７に示すようになっていて、可動咥え部材Ｊ１２を固定した支持部材Ｊ１９は前記軸Ｊ１４に角変位可能に支持されている。また、軸Ｊ１４の外周面には、ばね受部材Ｊ２０が固定されていて、このばね受部材Ｊ２０と支持部材Ｊ１９との間で、かつ軸Ｊ１４の中心線に対して固定咥え部材Ｊ１３から遠い位置に、支持部材Ｊ１９を、これに固定した可動咥え部材Ｊ１２が固定咥え部材Ｊ１３側へ角変位する方向にばね付勢する圧縮ばねＪ２１が装着されている。Ｊ２２はこの圧縮ばねＪ２１による支持部材Ｊ１９の角変位角を設定するストッパーである。なお、軸Ｊ１４に対する支持部材１９の支持部は、ばね受部材Ｊ２０を軸方向によけた部分にて図示しない軸受にて支持されている。
【００３１】
そして咥え胴Ｆ３の回転に従ってカムフォロアーＪ１６が溝カムＪ１７を移動することによって、軸Ｊ１４がトーションバーＪ１８の回復力に抗して移動し、可変咥え部材Ｊ１２の先端が固定咥え部材Ｊ１３の先端側に、両者の間隔が咥えられる被切断紙ＰＣの厚さよりも小さくなるように接近させられて、この間で被切断紙ＰＣが咥えられる。
【００３２】
このとき、咥えられる被切断紙ＰＣの厚さが咥え間隔より大きい場合には、支持部材Ｊ１９は圧縮ばねＪ２１の反発力に抗して角変位し、被切断紙ＰＣは、可動咥え部材Ｊ１２と固定咥え部材Ｊ１３との咥え間隔において圧縮ばねＪ２１の圧縮量に比例する反発力で咥えられる。
【００３３】
第３ベース部材１３は、咥え胴Ｆ３の軸方向両端部には、回転中心線周りの等分割位置に互いに軸方向に対向させて半径方向に立ち上がった立上り部１３ｄ、１３ｄ…と、立上り部１３ｄ、１３ｄ…に続く軸方向両側に設けられ、前記した第１ベース部材１１の各第１プレート１１ａ、１１ｂ及び、第２ベース部材１２の各第２プレート１２ａ、１２ｂを回転可能に支持する小径部１３ｅ、１３ｆを有する本体１３ｚ及び前記立上がり部１３ｄ、１３ｄ…に取り付けられた、咥え胴Ｆ３の軸線と平行かつ咥え胴Ｆ３の回転中心線周りの等分割位置で外周面の一部を形成する第３ステー（図示せず）よりなり、小径部１３ｅ、１３ｆの端部にそれぞれ一体に組み付けられた両側の端軸１３ａ、１３ｂによって、対向して設けられたフレームＦＦａ、ＦＦｂに回転可能であるように支持されている。
【００３４】
すなわち、一方の端軸１３ａは、軸受Ｂａ、スリーブＳａを介して一方のフレームＦＦａに回転可能に支持され、他方の端軸１３ｂは、軸受Ｂｂ、咥え間隔調整歯車機構２０のスリーブＳｃ、軸受Ｂｃ、スリーブＳｂを介して他方のフレームＦＦｂに回転可能に支持されている。また、前記他方の小径部１３ｆは、２段の段状に形成され、前記第１プレート１１ｂと第２プレート１２ｂを取付ける部分に続く段状の小径部に、押さえプレート１３ｇが取り付けられている。
【００３５】
また、第３ベース１３の他方の端軸１３ｂの他方のフレームＦＦｂを貫通した先端には、咥え胴Ｆ３に回転駆動を伝達する従動歯車ＧＧが取り付けられており、従動歯車ＧＧは駆動源側の歯車ＤＧと噛み合わせられている。従動歯車ＧＧ及び駆動源側の歯車ＤＧは、図示の実施の形態ではいずれもはすば歯車である。
【００３６】
押さえプレート１３ｇと、第３ベース部材１３の軸方向一方の立上がり部１３ｄ、１３ｄには、それぞれ、第３ベース部材１３の軸心より半径方向同一位置に第１カム軸１４と第２カム軸１５が、第３ベース部材１３の立上がり部１３ｄ、１３ｄでは軸受Ｂｄ、Ｂｅにて、また、押さえプレート１３ｇでは軸受Ｂｆ、Ｂｇにて回転可能に支持されている。
【００３７】
第１カム軸１４は、第１ベース部材１１の両第１プレート１１ａ、１１ｂの軸方向に対向する両切欠き１１ｄ、１１ｄと、第２ベース部材１２の他方の第２プレート１２ｂの切欠き１２ｄを貫通するようになっており、また、第２カム軸１５は、第１ベース部材１１の両第１プレート１１ａ、１１ｂ及び第２ベース部材１２の両第２プレート１２ａ、１２ｂのそれぞれ軸方向に対向すると共に、前記第１カム軸１４が貫通する切欠きに対して回転中心線周りの異なる切欠き１１ｄ、１１ｄ、１２ｄ、１２ｄを貫通する（ただし、第２プレート１２ａの切欠き１２ｄには第１カム軸１４の軸端がこの切欠き１２ｄ内に至れば足る）ようになっている。
【００３８】
第１カム軸１４が貫通する第１プレート１１ａ、１１ｂの切欠き１１ｄ、１１ｄには、第１偏心カム１６、１６に嵌め合わされた第１スライド部材１８、１８が半径方向にのみ移動可能に装着され、それぞれの第１偏心カム１６、１６の偏心位置に第１カム軸１４が一体で角変位可能に結合されており、第１カム軸１４が角変位することにより、第１偏心カム１６、１６、第１スライド部材１８、１８を介して第１ベース部材１１が、第１カム軸１４を支持している第３ベース部材１３に対して回転中心線周りに角変位するようになっている。
【００３９】
また、第２カム軸１５が貫通する第２プレート１２ａ、１２ｂの切欠き１２ｄ、１２ｄには、第２偏心カム１７、１７に嵌め合わされた第２スライド部材１９、１９が半径方向にのみ移動可能に装着され、それぞれの偏心カム１７、１７の偏心位置に第２カム軸１５が一体で角変位可能に結合されており、第２カム軸１５が角変位することにより、第２偏心カム１７、１７、第２スライド部材１９、１９を介して第２ベース部材１２が、第２カム軸１５を支持している第３ベース部材１３に対して回転中心線周りに角変位するようになっている。
【００４０】
第１、第２のカム軸１４、１５のそれぞれの押さえプレート１３ｇを貫通した先端には、咥え間隔調整歯車機構２０の第１歯車２１、第２歯車２２がそれぞれの軸と一体で角変位可能に設けられている。この第１歯車２１と第２歯車２２は、同一歯数、同一ピッチ円直径を有し、前記スリーブＳｃの他方側端に取り付けられ、このスリーブＳｃと一体で回転可能にした第３歯車２３と噛み合わされている。
【００４１】
そして、第１偏心カム１６と第２偏心カム１７は、第３歯車２３及び第１歯車２１を介して第１カム軸１４が角変位するとともに第３歯車２３及び第２歯車２２を介して第２カム軸１５が角変位するときに、第１ベース部材１１と第２ベース部材１２が第３ベース部材１３の回転中心線周りに互いに逆向きに同じ角度だけ角変位するように配置されている。
【００４２】
スリーブＳｃの他方側端には、第４歯車２４がスリーブＳｃと一体で回転可能に取り付けられている。図示の実施の形態では、第４歯車２４は、前記従動歯車ＧＧと同一ピッチ円直径を有するとともに、ねじれの向きが従動歯車ＧＧと反対であるはすば歯車である。
【００４３】
更に、咥え間隔調整歯車機構２０は、伝動歯車機構２９を備えている。伝動歯車機構２９は、従動歯車ＧＧと噛み合う第５歯車２５及び第４歯車２４と噛み合う第６歯車２６が同一回転中心線を有して一体で回転可能であるとともに、回転中心線と平行に往復移動可能に設けられ、往復移動機構２８によって回転中心線と平行に往復移動されるようになっている。
【００４４】
往復移動機構２８は、後で説明する駆動手段３０で作動され、かつ移動した位置に固定される。すなわち、他方のフレームＦＦｂに固定されたスプライン軸２８ａに軸方向に移動可能に移動スリーブ２８ｂが取り付けられ、この移動スリープ２８ｂに、軸受を介して第５歯車２５と第６歯車２６とが回転可能に取り付けられている。更に、移動スリーブ２８ｂの端部には、軸受を介して、第５歯車２５と第６歯車２６の回転中心線と軸線が一致した状態で、雄ねじ部材２８ｃの一方端が回転可能に、かつ軸方向に結合して取り付けられている。この雄ねじ部材２８ｃは、他方のフレームＦＦｂに設けられたブラケット２８ｄの雌ねじ部材２８ｅとねじ連係され、他方端に、駆動手段３０と連係される雄ねじ歯車２８ｆが取り付けられている。
【００４５】
駆動手段３０は、前記間隔調整機構１０の咥え間隔調整歯車機構２０に連係されて設けられている。すなわち、駆動手段３０は、ブラケット３３を介して前記ブラケット２８ｄに取り付けられた電動機３１と、電動機３１の出力軸にこの出力軸と一体で回転可能に設けられた駆動歯車３２とを有しており、駆動歯車３２は、雄ねじ部材２８ｃと一体で回転する前記雄ねじ歯車２８ｆと噛み合わせられている。そして、駆動歯車３２は、雄ねじ部材２８ｃと雌ねじ部材２８ｅとの共同作用によって雄ねじ部材２８ｃがその軸方向に移動する範囲で、雄ねじ歯車２８ｆとの噛み合わせを維持可能なだけの歯幅を備えている。また、前記電動機３１は、例えばステッピングモーターであり、後に説明する間隔調整制御手段９０の駆動信号出力部９３が出力する駆動信号に従って回転するようになっている。
【００４６】
速度検出手段５０は、図示しない輪転機の稼動動作部に連係されて、輪転機の稼動速度に比例する速度信号を出力する速度信号出力部５１と、この速度信号に基づいて、予め定められたタイミングでその時点の輪転機の稼動速度を検出する速度検出部５２とを有している。速度信号出力部５１は、例えば輪転機の稼動に伴って回転する回転部に連係されたロータリーエンコーダーのようなパルス信号出力手段であり、この場合、速度検出部５２は、速度信号出力部５１が予め定めた所定時間内に出力するパルス信号数に基づいて、当該パルス信号数に対応する電気信号を、輪転機の稼動速度に対応する検出速度信号として間隔調整制御手段９０に出力するようになっている。
【００４７】
間隔検出手段７０は、前記間隔調整機構１０の動作部に連係されて、当該動作部の動作に対応するフィードバック信号を出力するフィードバック信号出力部７１と、フィードバック信号に基づいて、その時点の、咥え装置Ｊにおける稼動咥え部材Ｊ１２と固定咥え部材Ｊ１３の咥え間隔を検出する間隔検出部７２とを有している。
【００４８】
この機構において、フィードバック信号出力部７１が連係される間隔調整機構１０の動作部は、その動作の大きさが咥え間隔の変化の大きさと一定の関係で対応し、かつ動作部の位相が咥え間隔の大きさと一定の関係で対応し、その対応関係が事前に把握されている動作部である。そして、フィードバック信号出力部７１は、例えば、前記駆動手段３０の電動機３１に連係して設けられたインクリメンタルタイプの原点付きロータリーエンコーダーであり、この場合、間隔検出部７２は、インクリメンタルタイプの原点付きロータリーエンコーダーが出力したパルス信号から電動機３１の回転方向を判断しつつ当該パルス信号を加減計数するとともに、原点パルス信号が出力される都度この計数値をクリアーし、また別に、原点パルス信号を加減計数する計数手段と、この計数手段の計数値を保持するとともに計数値に基づいて、前記咥え間隔を演算する演算手段である。そして間隔検出部７２は、検出した咥え間隔に対応する検出間隔信号を間隔調整制御手段９０に出力するようになっている。なお、間隔検出部７２は、電源が切られているときもバッテリーなどによって電源が切られる直前の計数値及び演算した咥え間隔を保持し、再立ち上げの際、その時点の咥え間隔を検出可能である。
【００４９】
間隔調整制御手段９０は、前記速度検出手段５０、間隔検出手段７０及び駆動手段３０と連係されており、速度検出手段５０が出力する検出速度信号と間隔検出手段７０が出力する検出間隔信号とに基づいて駆動手段３０を動作させ、間隔調整機構１０を介して、咥え装置Ｊの咥え間隔を適正に調整するようになっている。
【００５０】
詳細には、間隔調整制御装置９０は、調整信号出力部９１、記憶部９２及び駆動信号出力部９３を有している。調整信号出力部９１は、記憶部９２及び駆動信号出力部９３と連係されるとともに、速度検出手段５０の速度検出部５２及び間隔検出手段７０の間隔検出部７２と連係され、更に、必要に応じて入力手段１００が連係されている。
【００５１】
入力手段１００は、輪転機が行う印刷稼動において使用する紙の厚さ又は予め対応する紙の厚さが調整信号出力部９１で選択可能になっている場合にその紙の厚さを選択データ（例えば、紙の銘柄や商品番号）などの紙の厚さに関するデータと、紙の重なり枚数または予め対応する紙の重なり枚数、若しくは紙の重なり枚数に関する数が調整信号出力部９１で選択可能になっている場合にこの数を選択するデータ（例えば、印刷物のページ数）などの紙の重なり枚数に関するデータとを入力するために使用可能なものである。
【００５２】
また、記憶部９２には、予め基準として定められた厚さの紙を使用した印刷稼動のときの、輪転機の稼動速度と紙の重なり枚数が複合する条件における咥え装置Ｊの咥え部材の間隔（咥え間隔）の値を示す、例えば、表１に示すような間隔値テーブルが記憶されている。
【００５３】
以上記載の構成によれば、まず、輪転機の印刷稼動を始めるに先立ち、入力手段１００によって、当該印刷稼動で使用する紙の厚さに関するデータと、当該印刷稼動で製造される印刷物の紙の重なり枚数に関するデータ（図示の実施の形態では、印刷物のページ数）を入力しておく。
【００５４】
この状態のもとで、輪転機が印刷稼動を開始すると、つまり、咥え胴Ｆ３が回転すると、咥え装置Ｊが咥え動作を行う。すなわち、カムフォロアーＪ１６が溝カムＪ１７に従って変位し、軸Ｊ１４を介して移動咥え部材Ｊ１２、Ｊ１２…を予め定められた適宜のタイミングで一斉に、固定咥え部材Ｊ１３に対して接近移動するように角変位動作させ、移動咥え部材Ｊ１２、Ｊ１２…と固定咥え部材Ｊ１３との間に印刷物を咥える。次いで、軸Ｊ１４は、自らに内装されたトーションバー（図示せず）によって付与される一方向き（図６において時計回り方向）の力によって、カムフォロアーＪ１６が溝カムＪ１７のガイド面に従って、予め定められた適宜のタイミングで一斉に、固定咥え部材Ｊ１３に対して離隔移動するよう角変位動作させられる。
【００５５】
他方、輪転機が印刷稼動を開始すると、咥え間隔自動調整装置が動作を開始する。すなわち、速度検出手段５０が動作して輪転機の稼動速度を検出して検出速度信号を出力するとともに、間隔検出手段７０が動作して検出間隔信号を出力する。つまり、速度検出手段５０では、速度検出部５２が、予め定められた時間経過ごとに、別に予め定められた時間内に速度信号出力部５１が出力する稼動速度に比例したパルス信号を計数し、計数した信号数に対応する検出速度信号を出力する。また、間隔検出手段７０では、間隔検出部７２が、フィードバック信号出力部７１の出力信号を常時計数して保持するとともに、当該計数値から検出し得るフィードバック信号出力部７１が連係されている動作部の位相を介して、この位相と一定の関係で対応する咥え間隔を、予め把握されている値、例えば設定された基準値との対応関係に基づいて演算して求め、求めた咥え間隔に対応する検出間隔信号を出力する。速度検出手段５０が出力した検出速度信号と、間隔検出手段７０が出力した検出間隔信号は、間隔調整制御手段９０に入力される。
【００５６】
すると、間隔調整制御手段９０では、調整信号出力手段９１が、速度検出部５２から検出速度信号が入力されるたびに、この検出速度信号が示す検出速度と入力手段１００を介して予め入力されていた紙の重なり枚数に関するデータとの複合条件に基づいて、記憶部９２に記憶されている表１に示す間隔値テーブルから対応する間隔値（咥え間隔の値）を取り出す。更に、入力手段１００を介して予め入力されていた紙の厚さに関するデータから求められる当該印刷稼動に使用する紙の厚さが、予め基準として定めた紙の厚さと相違するときは、間隔調整動作によって得るべき間隔値、つまり、当該時点においてあるべき間隔値（Ｌ）を
Ｌ＝Ｌｏ×（ｔ／ｔｏ）によって求める。
ここで、Ｌｏは記憶部９２から取り出した間隔値、ｔは当該印刷稼動で使用する紙の厚さ、ｔｏは予め基準として定めた紙の厚さである。
【００５７】
調整信号出力手段９１は、次いで、求めた当該時点においてあるべき間隔値を、間隔検出手段７０からの検出間隔信号が示す当該時点における咥え間隔の値（間隔値）と比較する。そして、比較した結果が、予め定めた所定の範囲を超えて相違しているときに、この相違を解消すべく、電動機３１を介して間隔調整機構１０を動作させる調整信号を出力する。この調整信号は、咥え間隔を調整する向きと大きさに対応した、電動機３１の動作の向きと動作の量に関する情報を備えている。調整信号は、駆動信号出力手段９３で駆動信号に変換されて駆動手段３０の電動機３１に向けて出力される。
【００５８】
駆動信号を入力された電動機３１は、駆動信号に従って回転する。電動機３１が回転すると、その出力軸に取り付けられた駆動歯車３２及びこの駆動歯車３２と噛み合わせられた雄ねじ歯車２８ｆを介して、雄ねじ歯車２８ｆと一体で回転する雄ねじ部材２８ｃが回転させられる。
【００５９】
雄ねじ部材２８ｃが回転すると、雌ねじ部材２８ｅとのねじ作用によって移動スリーブ２８ｂがスプライン軸２８ａにそって軸方向に移動する。移動スリーブ２８ｂの移動に伴い、この移動スリーブ２８ｂに軸受を介して回転可能に設けられた第５歯車２５と第６歯車２６が、スプライン軸２８ａにそって軸方向に移動する。
【００６０】
この移動に際し、従動歯車ＧＧと第５歯車２５との間で、第５歯車２５が、駆動力によって第５歯車２５に対して固定されている駆動上流側の従動歯車ＧＧのはすばのねじれに従って角変位し、この第５歯車２５と一体の第６歯車２６も同様に角変位する。
【００６１】
同様に、第６歯車２６と第４歯車２４との間で、第４歯車２４が、駆動力によって第４歯車２４に対して固定されている駆動上流側の第６歯車２６のはすばのねじれに従って角変位する。
【００６２】
すなわち、第４歯車２４は、従動歯車ＧＧに対する第５歯車２５の角変位を第６歯車２６を介して伝達され、更に第６歯車２６に対する自らの角変位を加えて角変位する。そして、この角変位は、スリーブＳｃを介して第３歯車２３に伝達されてこれが角変位し、第３歯車２３と噛み合わされた第１歯車２１及び第２歯車２２を角変位させる。
【００６３】
第１歯車２１が角変位すると、第１カム軸１４が第３ベース部材１３に対して角変位し、第１偏心カム１６は嵌め合わせられた第１スライド部材１８内で角変位して、第１スライド部材１８を第１ベース部材１１の半径方向に移動させるとともに、第１スライド部材１８を介して第１ベース部材１１に対してその回転軌跡の接線と平行な一方方向の力を付与し、第１ベース部材１１を、第３ベース部材１３の回転中心線周りに一方方向に角変位させる。同様に、第２歯車２２が角変位すると、第２カム軸１５が第３ベース部材１３に対して角変位し、第２偏心カム１７は嵌め合わせられた第２スライド部材１９内で角変位して、第２スライド部材１９を第２ベース部材１２の半径方向に移動させるとともに、第２スライド部材１９を介して第２ベース部材１２に対してその回転軌跡の接線と平行な他方方向の力を付与し、第２ベース部材１２を、第３ベース部材１３の回転中心線周りに他方方向に角変位させる。すると、第１ベース部材１１に取り付けられた固定咥え部材Ｊ１３と第２ベース部材１２に取り付けられた可動咥え部材Ｊ１２とが、第３ベース部材Ｊ１３の回転中心線周りに互いに逆向きに位置を移動させられ、両咥え部材Ｊ１２、Ｊ１３の咥え作用状態における間隔が調整変更される。
【００６４】
また、このとき、電動機３１が回転すると、電動機３１に連係して設けられたインクリメンタルタイプの原点付きロータリーエンコーダーであるフィードバック信号出力部７１が、電動機３１の回転に対応してパルス信号を出力する。すると、間隔検出部７２は、フィードバック信号出力部７１がパルス信号を出力するたびに、電動機３１の回転方向を判断しつつ、当該調整動作開始以前に自らが計数して保持していたフィードバック信号出力部７１のパルス信号の計数値から「１」を加減計数する。そして、この計数値に基づいて演算して調整後の咥え間隔を検出し、検出した咥え間隔に対応する検出間隔信号を間隔調整制御手段９０に出力する。
【００６５】
間隔調整制御手段９０では、前記と同様に、当該時点においてあるべき間隔値を、検出間隔信号が示す当該時点における咥え間隔の値（間隔値）と比較する。そして、比較した結果が、予め定めた所定の範囲を超えて相違しているときは、前記同様の作動が行われる。
【００６６】
そして、以上記載の作動が、当該時点においてあるべき間隔値と検出間隔信号が示す当該時点における咥え間隔の値（間隔値）との間に、予め定めた所定の範囲を超えた相違が解消されるまで続けられる。
【００６７】
なお、予め基準と定めた厚さの紙による、予め定めた紙の重なり数での印刷稼動のみを行う輪転機では、紙の重なり数を調整信号出力部９１に記憶させておくことにより、入力手段１００を除いて差し支えないことは、前記説明から明らかであろう。また、前記速度検出手段５０の速度検出部５２、間隔検出手段７０の間隔検出部７２及び間隔調整制御手段９０の調整信号出力部９１を共通の処理手段Ｃによって構成しても差し支えない。
【００６８】
【表１】
0003680945.tif 000002
【００６９】
【発明の効果】
以上記載のとおりであり、この発明を実施することによって、輪転機の稼動速度に対応して、折部の咥え胴の咥え装置の咥え隙間の自動調整が可能になり、稼動速度の遅速にかかわらず、速度に対応する咥え力で紙を咥えることができ、低速時における、咥えられた部位での接触する印刷面同士の印刷画像の相互転写の発生がなくなるとともに、高速時における、咥え力不足による咥え装置からの紙の抜け落ちを一掃することができ、印刷稼動における印刷物品質の低下の防止と輪転機の稼動効率の向上に、著しい効果を得ることができた。
【図面の簡単な説明】
【図１】この発明に係る咥え隙間自動調整装置の全体構成の概略を示したブロック図である。
【図２】この発明に係る咥え隙間自動調整装置が実施可能な輪転機の咥え装置を示す断面展開図で、図３、図４におけるＴ−Ｔ矢視断面と図３におけるＵ−Ｕ矢視断面を併せて示した断面展開図である。
【図３】図２におけるＶ矢視図である。
【図４】図２におけるＷ−Ｗ矢視断面図である。
【図５】図２におけるＸ−Ｘ矢視断面図である。
【図６】図２におけるＹ−Ｙ矢視断面図である。
【図７】可動咥え部材と固定咥え部材との関係を示す、図２におけるＺ−Ｚ矢視断面拡大図である。
【図８】この発明に係る咥え隙間自動調整装置が実施される輪転機の折機の概略構成を示す説明図である。
【符号の説明】
１…咥え間隔自動調整装置、
１０…間隔調整機構、
１１…第１ベース部材、１１ａ、１１ｂ…第１プレート、１１ｃ…第１ステー、
１１ｄ…切欠き、１１ｅ…キャップ、
１２…第２ベース部材、１２ａ、１２ｂ…第２プレート、１２ｃ…第２ステー、
１２ｄ…切欠き、１２ｅ…キャップ、
１３…第３ベース部材、１３ａ、１３ｂ…端軸、１３ｄ…立上り部、
１３ｅ、１３ｆ…第３ベース部材の小径部、１３ｇ…押さえプレート、
１３ｚ…本体、
１４…第１カム軸、１５…第２カム軸、１６…第１偏心カム、
１７…第２偏心カム、１８…第１スライド部材、１９…第２スライド、
２０…咥え間隔調整歯車機構、２１…第１歯車、２２…第２歯車、
２３…第３歯車、２４…第４歯車、２５…第５歯車、２６…第６歯車、
２８…往復移動機構、２８ａ…スプライン軸、２８ｂ…移動スリーブ、
２８ｃ…雄ねじ部材、２８ｄ…ブラケット、２８ｅ…雌ねじ部材、
２８ｆ…雄ねじ歯車、２９…伝動歯車機構、
３０…駆動手段、３１…電動機、３２…駆動歯車、３３…ブラケット、
５０…速度検出手段、５１…速度信号出力部、５２…速度検出部、
７０…間隔検出手段、７１…フィードバック信号出力部、７２…間隔検出部、
９０…間隔調整制御手段、９１…調整信号出力部、９２…記憶部、
９３…駆動信号出力部、
１００…入力手段、
Ｂａ、Ｂｂ、Ｂｃ、Ｂｄ、Ｂｅ、Ｂｆ、Ｂｇ…軸受、Ｃ…処理手段、
Ｆ…折部、Ｆ１…鋸胴、Ｆ１１…鋸刃、Ｆ２…折胴、Ｆ２１…針、
Ｆ２２…鋸刃受け、Ｆ２３…差し刃、Ｆ３…咥え胴、Ｆ４…羽根車、
ＦＡ…受領羽根、ＦＣ…搬出コンベヤ、ＦＦａ、ＦＦｂ…フレーム、
ＦＮ…ニッピングローラー、ＧＧ…従動歯車、ＤＧ…駆動源側の歯車、
Ｊ…咥え装置、Ｊ１０…開口部、Ｊ１１…溝、
Ｊ１２…可動咥え部材（第１の咥え部材）、
Ｊ１３…固定咥え部材（第２の咥え部材）、Ｊ１４…軸、Ｊ１５…アーム、
Ｊ１６…カムフォロアー、Ｊ１７…溝カム、
Ｊ１８…トーションバー、Ｊ１９…支持部材、
Ｊ２０…ばね受部材、Ｊ２１…圧縮ばね、Ｊ２２…ストッパー、
ＰＣ…被切断紙、Ｓａ、Ｓｂ、Ｓｃ…スリーブ、Ｗ…連続紙。
【図１】
0003680945.tif 000003
【図２】
0003680945.tif 000004
【図３】
0003680945.tif 000005
【図４】
0003680945.tif 000006
【図５】
0003680945.tif 000007
【図６】
0003680945.tif 000008
【図７】
0003680945.tif 000009
【図８】
0003680945.tif 000010